(57)【特許請求の範囲】
【請求項１】
他の電子交換機との間で着信・発信の制御が可能な電子交換機において、
前記他の電子交換機から転送要求を受信する手段と、
前記他の電子交換機から自己に接続された転送先の電話機に対して転送要求があった場合に、前記電話機を転送以外の着信および発信禁止状態に設定する禁止手段と、
前記禁止状態に設定されていることを前記電話機の使用者に報知するように前記電話機を設定する報知設定手段とを具備する電子交換機。
【請求項２】
ＱＳＩＧプロトコルを使用して他の電子交換機との間で着信・発信の制御が可能である請求項１記載の電子交換機。
【請求項３】
前記報知設定手段は、前記電話機に備えられた音源を動作させるように前記電話機を設定する請求項１記載の電子交換機。
【請求項４】
前記報知設定手段は、前記電話機に備えられた表示器に所定の情報を表示させるように前記電話機を設定する請求項１記載の電子交換機。
【請求項５】
前記報知設定手段は、前記電話機に備えられた表示器を点灯させるように前記電話機を設定する請求項１記載の電子交換機。
【発明の詳細な説明】
【０００１】
【発明の属する技術分野】
本発明は、電子交換機及びボタン電話システムに関する。
【０００２】
【従来の技術】
従来、デジタル専用線の国際標準規格である欧州コンピューター製造工業会で規定されたＱＳＩＧプロトコルを使用して他の電子交換機との間で着信・発信の制御が可能な電子交換機がある。
この種の電子交換機を用いてネットワーキングを構築することで、各電子交換機を利用するユーザに対してあたかも１台の電子交換機が動作しているかのようにサービスを行うことができる。
【０００３】
図１８は従来の電子交換機のネットワーキングを示す図であり、図１９は図１８のネットワーキングにおける電子交換機間の転送時のメッセージ信号のシーケンスを示す図である。
図１８において、電子交換機１０、１１、１２は、それぞれＱＳＩＧプロトコルを使用するデジタル回線２１、２２、２３により接続されている。
今、電話機１と電話機２が電子交換機１０、１１を通じて通話をしていて、電話機２が電話機１との通話を電子交換機１２に接続された電話機３に転送し、最終的に電話機１と電話機３との通話を形成する場合を考える。
【０００４】
電話機２の使用者が、電子交換機１１に対してフッキング操作すると、電子交換機１１からダイヤルトーン信号が電話機２に送出される。また同時に相手方の電話機１は電子交換機１１により保留状態にされる。
電話機２の使用者はダイヤルトーンを確認した後、電話機２から転送先の電話機３の電話番号をダイヤル入力する。
このダイヤル入力により、電子交換機１１は、ＱＳＩＧプロトコルで規定されている転送確認信号「Ｆａｃｉｌｉｔｙメッセージ」をデジタル回線２２に送出する。この時、Ｆａｃｉｌｉｔｙメッセージには着信先の電話番号とこのメッセージが誰から誰へ転送されようとしているかなどを通知するための特別な情報即ちファシリティ情報要素が付加される。
【０００５】
電子交換機１２は、電子交換機１１からの「Ｆａｃｉｌｉｔｙメッセージ」を受け取ると、呼び出す電話機３が空き状態であるかどうかを確認し、空き状態であれば、電子交換機１１に対して、転送の受け入れ可能表示である「Ｃａｌｌ  ｐｒｏｃｅｅｄｉｎｇメッセージ」を送出する。
一方、電話機２は、ダイヤル入力後にオンフックされて空き状態になっている。
電子交換機１１は、電子交換機１２より「Ｃａｌｌ  ｐｒｏｃｅｅｄｉｎｇメッセージ」を受け取ると、電子交換機１０に対して転送しようとしている呼の着信先である電話機３が空き状態であって着信を受け入れられる状態であることを認識する。この時、電子交換機１１は、正式な通話開始要求として発呼要求「Ｓｅｔｕｐメッセージ」を電子交換機１２に向けて送らせるために「Ｆａｃｉｌｉｔｙメッセージ」中に転送に関する情報を含めて電子交換機１０に送出する。
【０００６】
電子交換機１０は、Ｆａｃｉｌｉｔｙメッセージに含まれている情報に基づいて電子交換機１２に「Ｓｅｔｕｐメッセージ」を送出する。
電子交換機１２は、「Ｓｅｔｕｐメッセージ」を受け取ると、電話機３が空き状態かどうかを再度確認し、空き状態であれば、呼の受付確認の「Ｃａｌｌ  ｐｒｏｃｅｅｄｉｎｇメッセージ」を電子交換機１０に送出する。また電子交換機１２は同時に電話機３に呼び出し信号を送出するとともに、電子交換機１０に対して内線呼び出し中の表示である「Ａｌｅｒｔｉｎｇ」を送出する。
【０００７】
ところで、この従来の電子交換機にあっては、図２０のフローチャートに示すように、電子交換機１２が「Ｆａｃｉｌｉｔｙメッセージ」を受けて、転送の受け入れ可能表示である「Ｃａｌｌ  ｐｒｏｃｅｅｄｉｎｇメッセージ」を送出した後に、電話機３にて発信操作が行われた場合や全く別の電話機から電話機３に着信があった場合、その後に、電子交換機１０から着呼があったときには電話機３はビジー状態になっており、転送が達成されない。また、この場合、ネットワーク内に無効な信号が伝送されることからデータのトラフィックが不必要に増加する欠点がある。
【０００８】
国際、市外、市内等の発信先に基づいて、内線電話機からの発信を受け付けるか否かの発信規制を行うことがある。この場合従来の電子交換機では、同一製造者の電子交換機のみに通用する製造者特有の情報をＱＳＩＧプロトコルの製造者特有情報要素内に挿入するようにして、内線電話機を接続した電子交換機から公衆電話網に接続した電子交換機に通知するようにしている。
この製造者特有情報要素を送るには専用のコーディング規則に従う必要があり、また送受信するためのソフトが必要となる。このため、電子交換機内のＣＰＵ（中央処理装置）の負荷が増大したり、技術的な問題が生じたり、新たなハードウェアを追加することによる回路構成の複雑化が生じたりする問題点がある。
【０００９】
図２１はＩＳＤＮ回線のＵ点対応の従来のボタン電話システムの構成を示すブロック図である。
ボタン電話システム５０は、ＩＳＤＮ網６０やＩＳＤＮ端末７０と接続するためのＩＳＤＮインタフェースユニット（Ｉ／Ｆユニット）５１と、このＩＳＤＮインタフェースユニット５１を制御し、呼処理や音声交換処理を行う制御ユニット５２を備えて構成されている。
ＩＳＤＮインタフェースユニット５１と制御ユニット５２は、互いに内部バス５３を通して音声データ、クロック信号、フレーム同期信号及び制御信号等の各種信号の授受を行う。
【００１０】
図２２はＩＳＤＮインタフェースユニット５１と制御ユニット５２の構成を示すブロック図である。
ＩＳＤＮインタフェースユニット５１は、ＩＳＤＮ網６０とのインタフェース（これをＮＴと呼ぶ）を行うインタフェースＬＳＩ８０と、ＩＳＤＮ端末７０とのインタフェース（これをＬＴと呼ぶ）を行うインタフェースＬＳＩ８１を有している。インタフェースＬＳＩ８０はＩＳＤＮ網６０から抽出したクロック信号により動作するＮＴモード、インタフェースＬＳＩ８１は自己のクロック信号を使用して端末を同期させるＬＴモードに固定されている。なお、ＮＴモードに対応するポートは回線ポートと呼ばれ、ＬＴモードに対応するポートは内線ポートと呼ばれる。
【００１１】
インタフェースＬＳＩ８０をＩＳＤＮ網６０からクロック信号ＣＬＫを抽出するように設定する場合即ちＮＴモードに設定する場合、スイッチ部８２をオンにし、スイッチ部８４をオフにする。インタフェースＬＳＩ８０はＩＳＤＮ網６０からクロック信号ＣＬＫを抽出して自己のクロックポートから出力する。
インタフェースＬＳＩ８０から出力されたクロック信号ＣＬＫは、スイッチ部８２を通り、基本クロック信号ＣＬＫｂとして制御ユニット５２のタイミング生成部８５に入力される。
タイミング生成部８５は、基本クロック信号ＣＬＫｂからシステムクロック信号ＣＬＫｓを生成し、これを制御ユニット５２のタイムスイッチ部８６とＩＳＤＮインタフェースユニット５１の位相調整タイムスイッチ部８３に供給してシステムの同期をとる。また、タイミング生成部８５は同時にフレーム同期信号ＦＳも生成して、位相調整タイムスイッチ部８３とタイムスイッチ部８６に出力する。
【００１２】
インタフェースＬＳＩ８０とインタフェースＬＳＩ８１の同期はインタフェースＬＳＩ８０が出力するクロック信号ＣＬＫとフレーム同期信号ＦＳによりとられる。インタフェースＬＳＩ８０とインタフェースＬＳＩ８１の音声データは、１本の音声データハイウェイＤＨ１上で位相調整タイムスイッチ部８３に送られ、さらにタイムスイッチ部８６と同期した音声データハイウェイＤＨ２上でタイムスイッチ部８６に送られる。
【００１３】
インタフェースＬＳＩ８０がＩＳＤＮ網６０からクロック信号ＣＬＫを抽出しないように設定する場合即ちＬＴモードに設定する場合は、スイッチ部８２をオフし、スイッチ部８４をオンする。そして、制御ユニット５２のタイミング生成部８５で作られたシステムクロック信号ＣＬＫｓとフレーム同期信号ＦＳとでインタフェースＬＳＩ８０とインタフェースＬＳＩ８１をシステムと同期させる。この時、インタフェースＬＳＩ８０、８１のクロックポートを入力状態にする。
【００１４】
このような構成の従来のボタン電話システムの場合、インタフェースＬＳＩ８０、８１をＮＴモードまたはＬＴモードのいずれかに固定するので、回線選択の自由度が小さい。ユーザが例えばＮＴモードのインタフェースを２つ必要とする場合、ＩＳＤＮインタフェースユニット５１をもう１つ用意する必要がある。このため、システムの回路規模が大きくなり、小型化が阻害されるとともにコストアップになる。
【００１５】
図２３はＩＳＤＮ回線のＳ、Ｔ点対応の従来のボタン電話システムのＩＳＤＮインタフェースユニット５６と制御ユニット５７の構成を示すブロック図である。
ＩＳＤＮインタフェースユニット５６は、ＩＳＤＮ網６０とのインタフェース（これをＴＥと呼ぶ）を行うインタフェースＬＳＩ１２０と、ＩＳＤＮ端末７０とのインタフェース（これをＮＴと呼ぶ）を行うインタフェースＬＳＩ１２１を有しており、各インタフェースＬＳＩ１２０、１２１はＴＥまたはＮＴのいずれかに固定されている。
【００１６】
インタフェースＬＳＩ１２０をＩＳＤＮ網６０からクロック信号ＣＬＫを抽出するように設定すると即ちＴＥに設定すると、インタフェースＬＳＩ１２０はＩＳＤＮ網６０からクロック信号ＣＬＫを抽出してクロックポートから出力する。インタフェースＬＳＩ１２０から出力されたクロック信号ＣＬＫは、制御ユニット５７のタイミング生成部１２３に入力される。
【００１７】
タイミング生成部１２３は、クロック信号ＣＬＫからシステムクロック信号ＣＬＫｓを生成してＮＴとして従属同期するインタフェースＬＳＩ１２１に供給する。また、タイミング生成部１２３は、同時にフレーム同期信号ＦＳ１も生成する。このフレーム同期信号ＦＳ１はインタフェースＬＳＩ１２０が出力するフレーム同期信号ＦＳ２とともに位相調整タイムスイッチ部１２２に供給される。インタフェースＬＳＩ１２０、１２１の音声データＤＳ１、ＤＳ２は１本の音声ハイウェイＨＳ上で位相調整タイムスイッチ部１２２から制御ユニット５７のタイムスイッチ部１２４に供給される。
インタフェースＬＳＩ１２１は従属同期のために、フレーム同期は制御ユニット５７のタイミング生成部１２３において生成されたフレーム同期信号ＦＳ１を使用して行われる。
以上の従来のボタン電話システムの場合、上述したボタン電話システムと同様にインタフェースＬＳＩ１２０、１２１はＩＳＤＮのＮＴまたはＴＥのいずれかに固定されるので、回線選択の自由度が小さく、ユーザがＮＴ機能を２つ必要とする場合、ＩＳＤＮインタフェースユニット５６をもう１つ用意する必要がある。このため、システムの回路規模が大きくなり、小型化が阻害されるとともにコストアップになる。
【００１８】
【発明が解決しようとする課題】
本発明はこのような事情に鑑みてなされたもので、転送先の電話機に確実に転送を行うことができる電子交換機を提供するとともに、回線選択の自由度の高いボタン電話システムを提供することを目的としている。
【００１９】
【課題を解決するための手段】
上記目的を達成するため、本発明の第１の観点に基づくと、（メモ：クレーム１）他の電子交換機との間で着信・発信の制御が可能な電子交換機が提供され、この電子交換機は、他の電子交換機から転送要求を受信する手段と、転送要求に応答して、自己に接続された転送先の電話機を転送待ち状態に移行させる場合に、電話機を転送以外の着信および発信禁止状態に設定する禁止手段を具備する。
【００２０】
本発明によれば、他の電子交換機から転送要求に応答して、転送先の電話機を空き状態から転送入呼待ちの状態にして、その電話機での発信及び転送以外の着信を不可の状態に設定する。
したがって、転送先の電話機において発信操作が行われたり、全く別の電話機からの着信があっても無効になることから、転送が達成されなくなるようなことがなく着呼の転送が確実に達成される。さらに、従来のようなネットワーク内に無効な信号が伝送されることがないので、データのトラフィックが不必要に増加するようなことが起こらない。
【００２１】
この電子交換機は、デジタル専用線の国際標準であるＱＳＩＧプロトコルを使用して他の電子交換機との間で着信・発信の制御できることが好ましい。
【００２２】
この電子交換機は、転送要求を受信後、自己に接続された転送先の電話機が空き状態の場合に、電話機を転送待ち状態に移行させるとよい。
【００２３】
この電子交換機は、禁止状態に設定されていることを電話機の使用者に報知するように電話機を設定する報知設定手段をさらに具備することが好ましい。
本発明によれば、転送以外の着信および発信禁止状態になったことをその電話機の使用者に報知する。
これにより、転送先の電話機の使用者はこれから転送が行われることを認識することができるので、その後の対応を的確に行え、慌てたりミス操作したりするようなことがない。
【００２４】
この報知設定手段は、電話機に備えられた音源を動作させるように電話機を設定してもよく、電話機に備えられた表示器に所定の情報を表示させるように電話機を設定してもよく、電話機に備えられた表示器を点灯させるように電話機を設定してもよい。
【００２５】
また、この報知設定手段は、転送待ち状態に移行した時から転送による着呼があるまでの間に電話機において発信キーが押下された場合に電話機に備えられた音源を動作させるように電話機を設定してもよく、転送待ち状態に移行した時から転送による着呼があるまでの間に電話機において発信キーが押下された場合に電話機に備えられた表示器に所定の情報を表示させるように電話機を設定してもよい。
【００２６】
さらに、この報知設定手段は、転送待ち状態に移行した時から転送による着呼があるまでの間に電話機において発信キーが押下された場合に電話機に備えられた表示器を点灯させるように電話機を設定してもよく、転送待ち状態に移行した時から転送による着呼があるまでの間に電話機において発信キーが押下された場合にダイヤルキーによる入力を受け付けないように電話機を設定してもよい。
【００２７】
本発明の他の観点に基づくと、他の電子交換機との間で着信・発信の制御が可能な電子交換機が提供され、この電子交換機は、他の電子交換機から転送要求を受信する手段と、転送要求に応答して、自己に接続された転送先の電話機を転送待ち状態に移行させる場合に、転送待ち状態であることを電話機の使用者に報知するように電話機を設定する報知設定手段を具備する。
本発明によれば、転送要求に応答して、転送先入呼待ち状態になったことをその電話機の使用者に報知する。これにより、転送先の電話機の使用者はこれから転送が行われることを認識することができるので、その後の対応を的確に行え、慌てたりミス操作したりするようなことがない。
【００２８】
本発明のさらなる他の観点に基づくと、デジタル専用線の国際標準であるＱＳＩＧプロトコルを使用して他の電子交換機に接続された電話機からの発信を自己に接続されている外線に接続する電子交換機が提供され、この電子交換機は、電話機からの発信時に他の電子交換機から発信を規制する情報を受信する手段と、発信規制情報に応答して、電話機から外線への発信を規制する手段とを具備し、発信規制情報は、ＱＳＩＧプロトコルの発呼者番号通知情報要素に付加されている。
本発明によれば、発信規制情報をＱＳＩＧプロトコルの発呼者番号通知情報要素に付加することで、特別な情報要素を使用せずに技術的にも容易に且つ低コストで発信規制情報を伝送することができる。
【００２９】
この電子交換機が発信規制内容を記憶したテーブルをさらに具備し、発信規制手段は、発信規制情報に応答してテーブルから対応する発信規制内容を検索し、検索された発信規制内容に基づいて発信を規制することが好ましい。
【００３０】
本発明のさらなる他の観点に基づくと、ボタン電話システムが提供され、このボタン電話システムは、ＩＳＤＮ回線のＵ点を介してＩＳＤＮ網とデジタルデータ伝送を行う回線インタフェース機能およびＩＳＤＮ端末とデジタルデータ伝送を行う内線インタフェース機能を有し、これらの機能のいずれかを択一的に設定できるインタフェース手段と、回線設定情報に基づいてインタフェース手段を回線インタフェース機能または内線インタフェース機能のいずれか一方に設定する制御手段を具備する。
本発明によれば、１つのインタフェース手段を回線インタフェース機能または内線インタフェース機能のいずれにも自由に設定することができる。
したがって、ＩＳＤＮ回線ポート数と内線ポート数を適用に合わせて増減することができる自由度の高いボタン電話システムを実現できる。
【００３１】
本発明のさらなる他の観点に基づくと、ボタン電話システムが提供され、このボタン電話システムは、ＩＳＤＮ回線のＵ点を介してＩＳＤＮ網とデジタルデータ伝送を行う回線インタフェース機能およびＩＳＤＮ端末とデジタルデータ伝送を行う内線インタフェース機能を有し、これらの機能のいずれかを択一的に設定できるインタフェース手段と、インタフェース手段が回線インタフェース機能に設定されている場合にはインタフェース手段から出力されるクロック信号に基づいてシステム用クロック信号とフレーム同期信号を生成し、インタフェース手段が内線インタフェース機能に設定されている場合には内部クロック信号に基づいてシステム用クロック信号とフレーム同期信号を生成するタイミング生成手段と、インタフェース手段のクロック信号入出端とタイミング生成手段のクロック信号入力端との間の信号伝送経路に挿入される第１のスイッチ手段と、タイミング生成手段のシステム用クロック信号出力端およびフレーム同期信号出力端とインタフェース手段のクロック信号入出端およびフレーム同期信号入出端との間の信号伝送経路に挿入される第２のスイッチ手段と、回線設定情報に基づいてインタフェース手段を回線インタフェース機能または内線インタフェース機能のいずれか一方に設定し、回線インタフェース機能に設定した場合には第１のスイッチ手段をオンにするとともに第２のスイッチ手段をオフにし、内線インタフェース機能に設定した場合には第１のスイッチ手段をオフにするとともに第２のスイッチ手段をオンにする制御手段とを具備する。
【００３２】
本発明によれば、ＩＳＤＮ回線のＵ点において、インタフェース手段の回線インタフェース機能及び内線インタフェース機能の設定を制御手段により行い、インタフェース手段を内線インタフェース機能に設定した場合には、タイミング生成手段の内部クロック信号を使用するために、制御手段によって第１のスイッチ手段をオフ、第２のスイッチ手段をオンにする。制御手段は、インタフェース手段の回線インタフェース機能及び内線インタフェース機能の設定を回線設定情報に基づいて行う。
したがって、インタフェース手段を回線インタフェース機能又は内線インタフェース機能のいずれにも自由に設定することができる。
したがって、ＩＳＤＮ回線ポート数と内線ポート数を好みに合わせて増減することができる自由度の高いボタン電話システムを実現できる。
【００３３】
本発明のまたさらなる他の観点に基づくと、ボタン電話システムが提供され、このボタン電話システムは、ＩＳＤＮ回線のＳ、Ｔ点を介してＩＳＤＮ網とデジタルデータ伝送を行う回線インタフェース機能およびＩＳＤＮ端末とデジタルデータ伝送を行う内線インタフェース機能を有し、これらの機能のいずれかを択一的に設定できるインタフェース手段と、インタフェース手段に接続され、回線インタフェース機能設定時と内線インタフェース機能設定時のそれぞれに対して送信線と受信線を切り換える第１のスイッチ手段と、インタフェース手段に対するクロック信号の信号伝送経路とフレーム同期信号の信号伝送経路に挿入され、インタフェース手段に対するクロック信号およびフレーム同期信号の入出力を切り換える第２のスイッチ手段と、回線設定情報に基づいてインタフェース手段を回線インタフェース機能または内線インタフェース機能のいずれか一方に設定し、回線インタフェース機能に設定した場合には第２のスイッチ手段をクロック信号およびフレーム同期信号を出力する側に切り換え、内線インタフェース機能に設定した場合には第２のスイッチ手段をクロック信号及びフレーム同期信号を入力する側に切り換える制御手段とを具備する。
【００３４】
本発明によれば、ＩＳＤＮ回線のＳ、Ｔ点において、インタフェース手段の前段に送信線と受信線を反転させる第１のスイッチ手段を設けて送信線と受信線の切り換えができるようにし、また制御手段を設けてインタフェース手段の回線インタフェース機能と内線インタフェース機能の設定および第２のスイッチ手段の切り換え制御を行う。
そして、第１のスイッチ手段を回線インタフェース機能側に切り換える場合、制御手段に回線インタフェース機能に設定する回線設定情報を入力する。これに対して、第２のスイッチ手段を内線インタフェース機能側に切り換える場合、制御手段に内線インタフェース機能に設定する回線設定情報を入力する。
制御手段は、回線インタフェース機能に設定する回線設定情報を取り込むと、インタフェース手段を回線インタフェース機能に設定するとともに、第２のスイッチ手段をクロック信号及びフレーム同期信号を出力する側に切り換える。
また、制御手段は、内線インタフェース機能に設定する回線設定情報を取り込むと、インタフェース手段を内線インタフェース機能に設定するとともに、第２のスイッチ手段をクロック信号及びフレーム同期信号を入力する側に切り換える。
したがって、インタフェース手段を回線インタフェース機能または内線インタフェース機能のいずれかに自由に設定することができる。このため、回線選択の自由度の高いボタン電話システムを提供することができる。
【００３５】
【発明の実施の形態】
以下、図面を参照して本発明の実施の形態について説明する。
【００３６】
（Ｉ）電子交換機
（ａ）第１の実施の形態
図１は本発明に係る電子交換機の第１の実施の形態によるネットワーキングを示す図である。また、図２は第１の実施の形態の電子交換機が「Ｆａｃｉｌｉｔｙメッセージ」を受けた後の処理を示すフローチャートである。図１において、前述した図１８と共通する部分には同一の符号を付けている。
図１において、着信・発信禁止手段３００、３１０、３２０、報知設定手段３０１、３１１、３２１を有する電子交換機３０、３１、３２は、それぞれデジタル専用線の国際標準であるＱＳＩＧプロトコルを使用するデジタル専用線２１、２２、２３により接続されている。
今、電話機１と電話機２が電子交換機３０、３１を通して通話をしていて、電話機２が電話機１との通話を電子交換機３２に接続された電話機３に転送し、最終的に電話機１と電話機３との通話を形成する場合を考える。
【００３７】
図２は第１の実施の形態の電子交換機の動作を示すフローチャートである。  この図において、電子交換機３２は、電子交換機３１から転送確認信号「Ｆａｃｉｌｉｔｙメッセージ」を受け取ると（Ｓ１０）、呼び出す電話機３が空き状態であるか否かを確認し（Ｓ１２）、空き状態でなければ、転送受け入れ拒否のメッセージを電子交換機３１に送出する（Ｓ１４）。これに対して、電話機３が空き状態であれば、電子交換機３２は電話機３を着信転送待ち状態へ移行させる（Ｓ１６）。その後報知設定手段３２１が内線ボタンを点灯させ、着信・発信禁止手段３２０が発信及び転送以外の着信を不能に設定する。
【００３８】
電話機３に対して発信及び転送以外の着信を不能に設定した後、電子交換機３２は、電子交換機３１に転送の受け入れ可能表示である「Ｃａｌｌ  ｐｒｏｃｅｅｄｉｎｇメッセージ」を送出する（Ｓ１８）。
電子交換機３１は、電子交換機３２から「Ｃａｌｌ  ｐｒｏｃｅｅｄｉｎｇメッセージ」を受け取ると、転送しようとしている呼の着信先である電話機３が空き状態であって着信を受け入れられる状態であることを認識する。この時電子交換機３１は、正式な通話開始要求として発呼要求「Ｓｅｔｕｐメッセージ」を電子交換機３２に向けて送らせるために、「Ｆａｃｉｌｉｔｙメッセージ」内に転送に関する情報を含めて電子交換機３０に送出する。
電子交換機３０は、電子交換機３１から送出された「Ｆａｃｉｌｉｔｙメッセージ」を受け取ると、Ｆａｃｉｌｉｔｙメッセージ中の情報に基づいて電子交換機３２に発呼要求「Ｓｅｔｕｐメッセージ」を送出する。
電子交換機３２は、「Ｓｅｔｕｐメッセージ」を受け取ると、電話機３が空き状態であるかどうかを再度確認し、空き状態であれば、呼の受付確認の「Ｃａｌｌ  ｐｒｏｃｅｅｄｉｎｇメッセージ」を電子交換機３０に送出する。また電子交換機３２は更に電話機３に呼び出し信号を送出するととともに、電子交換機３０に対して内線呼び出し中の表示である「Ａｌｅｒｔｉｎｇ」を送出する。
電話機３の使用者が呼び出し音を聞いて電話機３をオフフックすると、電話機１との間で通話が可能になる。
【００３９】
この第１の実施の形態では、電子交換機３２が電子交換機３１から転送確認信号「Ｆａｃｉｌｉｔｙメッセージ」を受け取ると、呼び出す電話機３が空き状態であれば、電子交換機３２は電話機３を着信転送待ち状態へ移行させ、電話機３の内線ボタンを点灯させるとともに、発信及び転送以外の着信を不能に設定する。
【００４０】
このように、電話機３に対して発信及び転送以外の着信を不能に設定することで、電子交換機３０から着呼があるまでの間に電話機３において発信操作が行われたり、全く別な電話機からの着信があってもそれらは無効になるので、電子交換機３０からの着呼の転送が確実に達成される。さらに、従来のようにネットワーク内に無効な信号が伝送されることがないので、データのトラフィックが不必要に増加することがない。
【００４１】
（ｂ）第２の実施の形態
図３は本発明に係る第２の実施の形態の電子交換機が「Ｆａｃｉｌｉｔｙメッセージ」を受けた後の処理を示すフローチャートである。なお、この第２の実施の形態において、デジタル専用線ネットワークの構成は上述した図１と同一である。
この第２の実施の形態では、電子交換機３２の報知設定手段３２１が転送先の電話機３に特殊音を出力させて電話機３の使用者に発信及び転送以外の着信が不可になったことを知らせる報知機能（Ｓ２０）が追加されている。この第２の実施の形態では報知機能ステップ（Ｓ２０）は電子交換機３２が電子交換機３１に「Ｃａｌｌ  ｐｒｏｃｅｅｄｉｎｇメッセージ」を送出するステップ（Ｓ１８）の後に実行されているが、ステップＳ１８の前に実行されてもよい。
転送先の電話機３の使用者に発信及び転送以外の着信が不可になったことを知らせることで、使用者はこれから転送が行われることを認識することができ、その後の対応を的確に行え、慌てたりミス操作したりするようなことがない。
【００４２】
（ｃ）第３の実施の形態
図４は、本発明に係る第３の実施の形態の電子交換機が「Ｆａｃｉｌｉｔｙメッセージ」を受けた後の処理を示すフローチャートである。この第３の実施の形態において、デジタル専用線ネットワークの構成は上述した図１と同一である。
【００４３】
この第３の実施の形態では、使用者が電話機３の発信キーを押下すると、電子交換機３２の報知設定手段３２１が電話機３に特殊音を発生させて使用者に発信及び転送以外の着信は不可になっていることを知らせる報知機能（Ｓ２２）が追加されている。この第３の実施の形態では報知機能ステップ（Ｓ２２）は電子交換機３２が電子交換機３１に「Ｃａｌｌ  ｐｒｏｃｅｅｄｉｎｇメッセージ」を送出するステップ（Ｓ１８）の後に実行されているが、ステップＳ１８の前に実行されてもよい。
【００４４】
転送先の電話機３の使用者に発信及び転送以外の着信が不可になったことを知らせることで、使用者はこれから転送が行われることを認識することができ、その後の対応を的確に行え、慌てたりミス操作したりするようなことがない。
【００４５】
この第３の実施の形態では、転送先の電話機３において発信キーが押下された場合に特殊音を発生させるようにしたが、発信キーが押下された場合にダイヤルキーによる入力を受け付けないようにしてもよい。この場合、特殊音も同時に出力させるようにしてもよい。
【００４６】
（ｄ）第４の実施の形態
図５は本発明に係る第４の実施の形態の電子交換機が「Ｆａｃｉｌｉｔｙメッセージ」を受けた後の処理を示すフローチャートである。この第４の実施の形態において、デジタル専用線ネットワークの構成は上述した図１と同一である。
【００４７】
この第４の実施の形態では、電子交換機３２の報知設定手段３２１が転送先の電話機３のＬＣＤ等の表示器に所定の情報を表示させて、電話機３の使用者に発信及び転送以外の着信が不可になったことを知らせる報知機能（Ｓ２４）が追加されている。この第４の実施の形態では報知機能ステップ（Ｓ２４）は電子交換機３２が電子交換機３１に「Ｃａｌｌ  ｐｒｏｃｅｅｄｉｎｇメッセージ」を送出するステップ（Ｓ１８）の後に実行されているが、ステップＳ１８の前に実行されてもよい。
【００４８】
図６は転送待ち状態に移行した場合における電話機３上の表示の一例を示す図である。この例では「＊＊Ｆｏｒｗａｒｄ  Ｒｅｓｅｒｖｅｄ＊＊」と表示されている。
【００４９】
転送先の電話機３の使用者に発信及び転送以外の着信が不可になったことを知らせることで、使用者はこれから転送が行われることを認識することができ、その後の対応を的確に行え、慌てたりミス操作したりするようなことがない。
【００５０】
この第４の実施の形態では、転送待ち状態に移行した場合に、転送先の電話機３のＬＣＤ等の表示器に所定の情報を表示させるようにしたが、転送待ち状態に移行した状態で、転送先の電話機３において発信キーが押下された場合に表示器に所定の情報を表示させるようにしてもよい。この場合、特殊音も同時に出力させるようにしてもよい。
また、転送待ち状態に移行した場合に、電話機３に設けた表示器を点灯させて、使用者に転送待ち状態であることを知らせてもよい。
【００５１】
（ｅ）第５の実施の形態
上記第１〜第４の実施の形態では、転送待ち状態に移行した場合に、発信及び転送以外の着信を不可としたが、使用の自由度を上げるという観点から、転送待ち状態であることを報知するだけにして発信及び転送を可能としてもよい。このようにすることで、緊急を要する連絡が必要になった場合に、優先的に必要とする相手と連絡を取ることができる。
【００５２】
（ｆ）第６の実施の形態
図７は本発明に係る第６の実施の形態の電子交換機によるネットワーキングを示す図である。
この図において、発信規制手段４００、４１０を有する電子交換機４０、４１が、デジタル専用線の国際標準であるＱＳＩＧプロトコルを使用するデジタル専用線４５により接続されている。電子交換機４０には１台の内線電話機４６が接続されており、電子交換機４１には２台の内線電話機４７、４８が接続されている。また、電子交換機４０は公衆電話網９０に接続されている。
ここで、内線電話機４６には５０００番、内線電話機４７には３０００番、内線電話機４８には４０００番の内線電話番号がそれぞれ割り当てられているものとする。
【００５３】
今、内線電話機４７からデジタル専用線４５を経由して公衆電話網９０に発信する場合を例として本発明の電子交換機４０、４１の特徴について説明する。
図８は内線電話機４７から公衆電話網９０に発信する際の信号の伝送状況を示す図である。
内線電話機４７の使用者は、内線電話機４７をオフフックして電子交換機４１に対して発信要求を行う。これにより、電子交換機４１から内線電話機４７にダイヤルトーン信号が送出される。
【００５４】
内線電話機４７の使用者はダイヤルトーンを確認した後、通話先の電話番号をダイヤル入力する。このダイヤル入力により、電子交換機４１は、デジタル専用線４５を介して電子交換機４０に対して、ＱＳＩＧプロトコルで規定されている発呼要求「Ｓｅｔｕｐメッセージ」を送出する。電子交換機４０は、この発呼要求「Ｓｅｔｕｐメッセージ」を受け取ると、ダイヤル情報を公衆電話網９０に送出する。
【００５５】
図９はＱＳＩＧプロトコルで定める「Ｓｅｔｕｐメッセージ」の構成を示す図である。基本的には番号１から４が付されている情報で構成され、番号５から１３が付されている情報は必要に応じて付加される。
「Ｓｅｔｕｐメッセージ」内の各情報は、「Ｓｅｔｕｐメッセージ」の送出時に順次対向する電子交換機４０に送出される。
【００５６】
第６の実施の形態では、「Ｓｅｔｕｐメッセージ」の項目番号３の「メッセージ種別」の発番号情報（ｃａｌｌｅｒ  ｎｕｍｂｅｒ  ｉｎｆｏｒｍａｔｉｏｎ）（発信電話機の内線番号を伝える情報）内に発信規制クラス番号（例えば２桁の数値）を付加して、対向する電子交換機４０に送出するようにしている。この場合、発信規制クラス番号を「１１」としている。
【００５７】
図１０は発番号情報を示す図であり、オクテット１から４までに発番号情報要素に必要な情報が入り、予備項目のオクテット５に実際に発信した発信者の内線番号が入る。予備項目に入る発信者電話番号即ち内線番号は、図示のように、１オクテット毎に「３」、「０」、「０」、「０」と入り、続いて発信規制クラス番号の２桁の数値「１１」が、「１」、「１」と入る。
発番号情報の全内容長は、オクテット２の「発番号内容長」の項目で自由に設定でき、発信規制クラス番号の追加を容易に行うことができる。なお、各オクテットは１バイト長になっている。
【００５８】
ここで、図１１に示すように、電子交換機４１は、内線番号「３０００番」の内線電話機４７から発信があると、その内線電話機４７の内線番号を伝える発番号情報に発信規制クラス番号（２桁の数値で、例えば「１１」）を付加して対向する電子交換機４０に通知する。電子交換機４０は、受け取った発番号情報内の発信規制クラス番号を検出して自己のテーブル４０１に予め登録されている発信規制内容を確認し、必要に応じて発信を切断する等の規制を行う。
【００５９】
例えば、内線電話機４７に対して国際電話の発信を受け付けないように、電子交換機４０のテーブル４０１に設定しておけば、電子交換機４０は内線電話機４７から国際電話の発信があっても接続を行わない。
【００６０】
このように、この第６の実施の形態では、デジタル専用線の国際標準であるＱＳＩＧプロトコルで定める「Ｓｅｔｕｐメッセージ」の発番号情報内に発信規制情報を入れて、対向する電子交換機４０にその発信規制情報を通知している。このため製造者特有情報要素を使用することによる専用のコーディングを行うこと、製造者特有情報要素を送受信するためのソフトの必要がそれぞれ不要となる。そして、これらが不要となることで、ＣＰＵの負担を最小限に抑えることができる。
【００６１】
（ＩＩ）ボタン電話システム
（ｇ）第７の実施の形態
図１２は本発明に係る第７の実施の形態のボタン電話システムにおけるＩＳＤＮインタフェースユニット及び制御ユニットの構成を示すブロック図である。なお、この図において、前述した図２２と共通する部分には同一の符号を付けて、その説明を省略する。
【００６２】
この実施の形態のＩＳＤＮインタフェースユニット５５は、ＩＳＤＮ回線のＵ点（２芯）に対応するものである。
従来のボタン電話システムにあっては、同一機能の２つのインタフェースＬＳ８０、８１をＮＴまたはＬＴのいずれかに固定するようにしていたが、第７の実施の形態では、マイクロコンピュータ１００を用いてＮＴまたはＬＴの設定を自由に行うことができる。
【００６３】
この場合、マイクロコンピュータ１００によってＮＴまたはＬＴの設定ができるように、インタフェースＬＳＩ８０のＮＴ／ＬＴ設定ポート用にハードウェア設定制御信号ＳＳ１を使用し、またインタフェースＬＳＩ８１のＮＴ／ＬＴ設定ポート用にハードウェア設定制御信号ＳＳ２を使用する。また、制御信号ＳＳ１，ＳＳ２とは別にインタフェースＬＳ８０、８１に対するソフトウェア設定制御信号ＳＳ３を使用して、ＮＴモードまたはＬＴモードのハードウェア設定を行ったことを各インタフェースＬＳＩ８０、８１に通知する。
【００６４】
マイクロコンピュータ１００は、制御信号ＳＳ１、ＳＳ２、ＳＳ３によって両インタフェースＬＳＩ８０、８１の設定を行い、また制御信号ＳＳ４を用いてスイッチ部８２とスイッチ部８４のオン／オフ制御を行う。
【００６５】
インタフェースＬＳＩ８０をＮＴに設定した場合は、インタフェースＬＳＩ８０がＩＳＤＮ網６０からクロック信号ＣＬＫの抽出を行う。インタフェースＬＳＩ８０をＬＴに設定した場合、インタフェースＬＳＩ８０はクロック信号の抽出を行わない。そして、インタフェースＬＳＩ８０をＮＴに設定し、インタフェースＬＳＩ８１をＬＴに設定した場合には、インタフェースＬＳＩ８０がＩＳＤＮ網６０からクロック信号ＣＬＫの抽出を行い、それをインタフェースＬＳＩ８１に供給する。このとき、スイッチ部８２がオン、スイッチ部８４がオフに制御される。
【００６６】
そして、インタフェースＬＳＩ８０によりＩＳＤＮ網６０から抽出された基本クロック信号ＣＬＫｂはスイッチ部８２を通って、制御ユニット５２内のタイミング生成部８５に入力される。タイミング生成部８５は、入力された基本クロック信号ＣＬＫｂに基づいてシステムの同期信号用クロック信号ＣＬＫｓとフレーム同期信号ＦＳとを生成し、それらを制御ユニット５２内のタイムスイッチ部８６とＩＳＤＮインタフェースユニット５５内の位相調整タイムスイッチ部８３に送り、ＩＳＤＮ網との同期をとる。
【００６７】
インタフェースＬＳＩ８０、８１と位相調整タイムスイッチ部８３との間は、インタフェースＬＳＩ８０のクロック信号ＣＬＫとフレーム同期信号ＦＳとによって同期がとられる。
【００６８】
一方、各インタフェースＬＳＩ８０、８１からの音声データ等は、データハイウェイＤＨ１上で位相調整タイムスイッチ部８３に送られる。そして、位相調整タイムスイッチ部８３に送られた音声データは、制御ユニット５２内のタイムスイッチ部８６と同期がとられているデータハイウェイＤＨ２上でタイムスイッチ部８６に送られる。これにより、音声データはシステム同期のとられた信号として扱うことができる。
【００６９】
図１３は上記スイッチ部８２，８４に３ステートバッファを用いた具体例を示す図である。
ＩＳＤＮインタフェースユニット５５内のインタフェースＬＳＩ８０がＩＳＤＮ網６０からクロック信号ＣＬＫの抽出を行い、このクロック信号ＣＬＫでシステムを同期させるには、マイクロコンピュータ１００の制御信号ＳＳ４を使ってスイッチ部８２をオンし、スイッチ部８４をオフする。
【００７０】
制御ユニット５２内のタイミング生成部８５は、上述したようにスイッチ部８２からの基本クロック信号ＣＬＫｂに基づいてシステム用クロック信号ＣＬＫｓとフレーム同期信号ＦＳを生成する。
【００７１】
ＩＳＤＮ網６０からクロック信号ＣＬＫを抽出しない場合は、スイッチ部８２をオフにし、スイッチ部８４をオンにしてタイミング生成部８５中の内部クロック生成手段８５１を使用する。制御ユニット５２のタイミング生成部８５は、内部クロック生成手段８５１から生成されるクロック信号によりシステム用クロック信号ＣＬＫｓとフレーム同期信号ＦＳを生成する。
このように、スイッチ部８２，８４に３ステートバッファを用いてクロック切り換えを簡単に行うことができる。
【００７２】
図１４はＮＴを３ポート持ち、ＬＴを１ポート持つボタン電話システム１１０の構築例である。すなわち、このボタン電話システム１１０内には、２つのＩＳＤＮインタフェースユニット５５でＮＴを３ポート、ＬＴを１ポート構築している。
上述のようにＩＳＤＮインタフェースユニット５５はＮＴ／ＬＴモードの設定を自由に行えるので、ユーザに大きな便利さを提供できる。
従来の場合は、ＮＴを３ポート、ＬＴを１ポート持つためにはＩＳＤＮインタフェースユニット５１を３個用意する必要があり、また、そのうちの２個のＬＴポートが不要になってしまう。本発明では１つのＩＳＤＮインタフェースユニット５５でＮＴ，ＬＴを自由に設定できるので、無駄なくシステムを構築することが可能になり、コスト面でも大きなメリットが得られる。
【００７３】
このように、この第７の実施の形態では、ＩＳＤＮ回線のＵ点において、インタフェースＬＳＩ８０、８１のＬＴ／ＮＴの設定をマイクロコンピュータ１００により行い、インタフェースＬＳＩ８０、８１の両方をＮＴに設定した場合には、タイミング生成部８５の内部クロック生成手段８５１から生成されるクロック信号を使用するために、マイクロコンピュータ１００によってスイッチ部８２をオフ、スイッチ部８４をオンにする。マイクロコンピュータ１００は、インタフェースＬＳＩ８０、８１のＬＴ／ＮＴの設定を、制御ユニット５２から入力される回線設定データに基づいて行う。
【００７４】
したがって、１つのインタフェースユニット５５をＮＴまたはＬＴのいずれにも自由に設定することができるので、ＩＳＤＮ回線ポート数と内線ポート数を適用に合わせて増減することができる自由度の高いボタン電話システムを提供することができる。
【００７５】
（ｈ）第８の実施の形態
図１５は本発明に係る第８の実施の形態のボタン電話システムにおけるＩＳＤＮインタフェースユニット５８の主要部の構成を示すブロック図である。なお、この図において、前述した図２３と共通する部分には同一の符号を付けてその説明を省略する。また、図１５に示すＩＳＤＮインタフェースユニット５８の部分以外と制御ユニットは、前述した図１２に示すＩＳＤＮインタフェースユニット５５および制御ユニット５２と同様である。
【００７６】
この第８の実施の形態は、ＩＳＤＮ回線のＳ、Ｔ点（４芯）に対応させたものであり、従来２つ必要であったインタフェースＬＳＩ１２０、１２１を１つに減らしたものであり、それを実現するために、従来の構成にＮＴモード時とＴＥモード時に送信線（Ｔ線）と受信線（Ｒ線）を切り換えるためのＴ／Ｒ線切り換えスイッチ部１３０と、クロック信号とフレーム同期信号を切り換えるためのＣＬＫ／ＦＳ切り換え部１３１とを備えている。
【００７７】
さらに、ＣＬＫ／ＦＳ切り換え部１３１とインタフェースＬＳＩ１２０のＮＴ／ＴＥモードの切り換えのために、マイクロコンピュータ１３２からの制御線が追加されている。
【００７８】
図１６は上記Ｔ／Ｒ線切り換えスイッチ部１３０の詳細な構成を示す図である。回線とのインタフェースは通常ＲＪ４５と呼ばれる８芯モジュラジャック１３３になっている。このモジュラジャックのピン構成は、ＴＥモード時は「３，６ピン」が送信用、「４，５ピン」が受信用となり、ＮＴモード時は「４，５ピン」が送信用、「３，６ピン」が受信用となる。これらを切り換えスイッチ１３４の機械的な手動スイッチを使用して切り換える。なお、トランス１４０における１次・２次間の絶縁を確保できればリレーや半導体スイッチ等の電気的なスイッチの使用も可能である。
【００７９】
図１５を再度参照すると、制御ユニット５２（図１２参照）は、回線の設定内容を内部バスを通してマイクロコンピュータ１３２に送る。マイクロコンピュータ１３２は、制御ユニット５２から送られてきた回線の設定内容に基づいてインタフェースＬＳＩ１２０とＣＬＫ／ＦＳ切り換え部１３１にＴＥ／ＮＴモードの設定を指示する。
【００８０】
クロック信号ＣＬＫとフレーム同期信号ＦＳは、ＴＥモード時にはＩＳＤＮ網６０から抽出されるので、信号の流れはインタフェースＬＳＩ１２０から制御ユニット５２およびＩＳＤＮインタフェースユニット５８内の位相調整タイムスイッチ部８３（図１２参照）に向かう。システム全体はこのクロック信号ＣＬＫに基づいて動作する。
【００８１】
これに対して、ＮＴモード時には、回路は従属同期状態となるために、信号の流れは制御ユニット５２およびＩＳＤＮインタフェースユニット５８内の位相調整タイムスイッチ部８３からインタフェースＬＳＩ１２０に向かう。
【００８２】
図１７はＣＬＫ／ＦＳ切り換え部１３１の詳細な構成を示す図である。この図に示すように、３ステートバッファを用いて容易に実現することができる。
【００８３】
このように、この第８の実施の形態では、ＩＳＤＮ回線のＳ、Ｔ点において、インタフェースＬＳＩ１２０の前段にＴ線とＲ線を反転させるＴ／Ｒ線切り換えスイッチ部１３０を設けてＴ線とＲ線の切り換えができるようにし、またマイクロコンピュータ１３２を設けてインタフェースＬＳＩ１２０のＴＥ／ＮＴの設定およびＣＬＫ／ＦＳ切り換え部１３１の切り換え制御を行う。
【００８４】
そして、Ｔ／Ｒ線切り換えスイッチ部１３０をＴＥ側に切り換える場合、マイクロコンピュータ１３２にＴＥ設定する回線設定データを入力する。これに対して、Ｔ／Ｒ線切り換えスイッチ部１３０をＮＴ側に切り換える場合、マイクロコンピュータ１３２にＮＴ設定する回線設定データを入力する。
【００８５】
マイクロコンピュータ１３２は、ＴＥ設定する回線設定データを取り込むと、インタフェースＬＳＩ１２０をＴＥモードに設定するとともに、ＣＬＫ／ＦＳ切り換え部１３１をＴＥ側に切り換える。また、マイクロコンピュータ１３２は、ＮＴ設定する回線設定データを取り込むと、インタフェースＬＳＩ１２０をＮＴモードに設定するとともに、ＣＬＫ／ＦＳ切り換え部１３１をＮＴ側に切り換える。
【００８６】
したがって、１つのＩＳＤＮインタフェースユニット５８をＴＥまたはＮＴのいずれかに自由に設定することができるので、回線選択の自由度が高まる。また、このようなＩＳＤＮインタフェースユニット５８を多数使用すれば、回線選択の自由度が更に高まり、使用勝手の良いボタン電話システムを提供することができる。
【００８７】
【発明の効果】
本発明の第１の観点に基づくと、他の電子交換機から転送要求に応答して、転送先の電話機を空き状態から転送入呼待ちの状態にして、その電話機での発信及び転送以外の着信を不可の状態に設定するので、転送先の電話機において発信操作が行われたり、全く別の電話機からの着信があっても無効になることから、転送が達成されなくなるようなことがなく着呼の転送が確実に達成される。さらに、従来のようなネットワーク内に無効な信号が伝送されることがないので、データのトラフィックが不必要に増加するようなことが起こらない。
【００８８】
本発明の他の観点に基づくと、転送要求に応答して、転送先入呼待ち状態になったことをその電話機の使用者に報知するので、転送先の電話機の使用者はこれから転送が行われることを認識することができ、その後の対応を的確に行え、慌てたりミス操作したりするようなことがない。
【００８９】
本発明のさらなる他の観点に基づくと、発信規制情報をＱＳＩＧプロトコルの発呼者番号通知情報要素に付加することで、特別な情報要素を使用せずに技術的にも容易に且つ低コストで発信規制情報を伝送することができる。
【００９０】
本発明のさらなる他の観点に基づくと、１つのインタフェース手段を回線インタフェース機能または内線インタフェース機能のいずれにも自由に設定することができるので、ＩＳＤＮ回線ポート数と内線ポート数を適用に合わせて増減することができる自由度の高いボタン電話システムを実現できる。
【図面の簡単な説明】
【図１】本発明に係る電子交換機の第１の実施の形態を示すブロック図である。
【図２】第１の実施の形態の電子交換機の動作を示すフローチャートである。
【図３】本発明に係る電子交換機の第２の実施の形態の動作を示すフローチャートである。
【図４】本発明に係る電子交換機の第３の実施の形態の動作を示すフローチャートである。
【図５】本発明に係る電子交換機の第４の実施の形態の動作を示すフローチャートである。
【図６】第４の実施の形態の電子交換機による電話機上の情報表示例を示す図である。
【図７】発明に係る電子交換機の第６の実施の形態を示すブロック図である。
【図８】第６の実施の形態の電子交換機による発信時の信号の伝送状況を示す図である。
【図９】ＱＳＩＧプロトコルで定める「Ｓｅｔｕｐメッセージ」の構成を示す図である。
【図１０】ＱＳＩＧプロトコルにおける発番号情報を示す図である。
【図１１】第６の実施の形態の電子交換機の動作を説明するためのブロック図である。
【図１２】本発明に係る第７の実施の形態におけるボタン電話システムのＩＳＤＮインタフェースユニット及び制御ユニットの各々の構成を示すブロック図である。
【図１３】第７の実施の形態のボタン電話システムのＩＳＤＮインタフェースユニット及び制御ユニットの各々の構成の一部分を示すブロック図である。
【図１４】第７の実施の形態のボタン電話システムの応用例を示すブロック図である。
【図１５】本発明に係る第８の実施の形態におけるボタン電話システムのＩＳＤＮインタフェースユニットの各々の構成の一部分を示すブロック図である。
【図１６】第８の実施の形態のボタン電話システムのＴ／Ｒ線切り換えスイッチ部の詳細な構成を示す図である。
【図１７】第８の実施の形態のボタン電話システムのＣＬＫ／ＦＳ切り換え部の詳細な構成を示す図である。
【図１８】従来の電子交換機によるネットワーキングを示す図である。
【図１９】図１８のネットワーキングにおける電子交換機間の転送時のメッセージ信号のやり取りを示す図である。
【図２０】図１８のネットワーキングにおける電子交換機の動作を示すフローチャートである。
【図２１】従来のボタン電話システムの構成を示すブロック図である。
【図２２】図２１のボタン電話システムのＩＳＤＮイシタフェースユニットと制御ユニットの構成を示すブロック図である。
【図２３】従来の他のボタン電話システムのＩＳＤＮインタフェースユニットと制御ユニットの構成を示すブロック図である。
【符号の説明】
１，２，３…電話機
１０，１１，１２…電子交換機
２１，２２…デジタル回線
３０，３１，３２…電子交換機
４０，４１…電子交換機
４５…デジタル専用線
４６，４７，４８…内線電話機
５０…ボタン電話システム
５１…ＩＳＤＮインタフェースユニット
５２…制御ユニット
５３…内部バス
５５，５６…ＩＳＤＮインタフェースユニット
５７…制御ユニット
５８…ＩＳＤＮインタフェースユニット
６０…ＩＳＤＮ網
７０…ＩＳＤＮ端末
９０…公衆電話網
８０，８１…インタフェースＬＳＩ
８２，８４…スイッチ部
８３…位相調整タイムスイッチ部
８５…タイミング生成部
８６…タイムスイッチ部
１００…マイクロコンピュータ
１１０…ボタン電話システム
１２０，１２１…インタフェースＬＳＩ
１２２…位相調整タイムスイッチ部
１２３…タイミング生成部
１２４…タイムスイッチ部
１３０…スイッチ部
１３２…マイクロコンピュータ
１３３…芯モジュラジャック
１３４…スイッチ
１４０…トランス
３００，３１０，３２０…着信・発信禁止手段
３０１，３１１，３２１…報知設定手段
４００，４１０…発信規制手段
４０１…テーブル
８５１…内部クロック生成手段
【図１】
0003609699.tif 000002
【図２】
0003609699.tif 000003
【図３】
0003609699.tif 000004
【図４】
0003609699.tif 000005
【図５】
0003609699.tif 000006
【図６】
0003609699.tif 000007
【図７】
0003609699.tif 000008
【図８】
0003609699.tif 000009
【図９】
0003609699.tif 000010
【図１０】
0003609699.tif 000011
【図１１】
0003609699.tif 000012
【図１２】
0003609699.tif 000013
【図１３】
0003609699.tif 000014
【図１４】
0003609699.tif 000015
【図１５】
0003609699.tif 000016
【図１６】
0003609699.tif 000017
【図１７】
0003609699.tif 000018
【図１８】
0003609699.tif 000019
【図１９】
0003609699.tif 000020
【図２０】
0003609699.tif 000021
【図２１】
0003609699.tif 000022
【図２２】
0003609699.tif 000023
【図２３】
0003609699.tif 000024